(57)【要約】【課題】ほかの客と相席になった場合でも、画像の表示及び操作を楽しむことができる画像表示テーブル及び画像表示制御システムを提供する。【解決手段】画像表示テーブル１２は４人掛けの円卓であり、表面に画像を表示する表示部３０が設けられている。表示部３０は、タッチパネルであり、座席（図示されず）に対応した４つの専有領域Ａ、Ｂ、Ｃ及びＤと共有領域Ｘとに分割されている。画像表示テーブル１２の各専有領域Ａ、Ｂ、Ｃ及びＤにはそれぞれ利用者（Ａさん、Ｂさん、Ｃさん及びＤさん）が着席している。専有領域Ａ、Ｂ、Ｃ及びＤはそれぞれＡさん、Ｂさん、Ｃさん及びＤさんが各々画像の表示や操作を行う領域であり、共有領域Ｘはあらかじめすべての専有領域Ａ、Ｂ、Ｃ及びＤとの間で相互に画像データの移動又はコピーが許可（共有許可）されている領域である。各利用者は、表示部３０に表示された画像４２に指やスタイラスペン等で触れて操作を行う。制御スイッチ３６は、画像４２をほかの専有領域に移動又はコピーする許可（共有許可）を設定するスイッチである。【選択図】      図３ 
2005352579.tif 000002
【特許請求の範囲】
【請求項１】
デジタル画像を入力する画像入力手段と、
複数の利用者が同時に利用可能なテーブルの表面に設けられ、前記画像入力手段から入力された画像を表示する、各利用者ごとに割り当てられた表示領域を有する画像表示手段と、
前記画像表示手段における各利用者ごとに割り当てられた表示領域を、他の利用者との間で共有させるか否かを設定する共有設定手段と、
前記画像表示手段に表示された画像を各利用者が操作するための操作手段と、
各操作手段の操作入力に基づいてその操作手段に対応して割り当てられた表示領域、及び前記共有設定手段によって共有が許可された表示領域を使用して画像を操作する制御手段と、
を備えたことを特徴とする画像表示テーブル。
【請求項２】
前記画像表示手段は、各利用者ごとに割り当てられた表示領域にそれぞれ隣接する共有領域を有し、前記制御手段は、各操作手段の操作入力に基づいて前記共有領域を使用して画像を操作することを特徴とする請求項１記載の画像表示テーブル。
【請求項３】
前記表示領域ごとに配置された、前記利用者を感知するヒト感知手段を備え、
前記制御手段は、前記ヒト感知手段により所定の時間利用者が感知されなかった場合に、そのヒト感知手段の配置された表示領域が無人の表示領域であると判断し、前記無人の表示領域に隣接する所定の表示領域の利用者に対して前記無人の表示領域の共有を許可することを特徴とする請求項１又は２記載の画像表示テーブル。
【請求項４】
デジタル画像を入力する画像入力手段と、
複数の利用者が同時に利用可能なテーブルの表面に設けられ、前記画像入力手段から入力された画像を表示する、各利用者ごとに割り当てられた表示領域を有する画像表示手段と、
前記画像表示手段に表示された画像を各利用者が操作するための操作手段と、
各操作手段の操作入力に基づいてその操作手段に対応して割り当てられた表示領域を使用して画像を操作する制御手段と、
を備え、
前記画像表示手段は、各利用者ごとに割り当てられた表示領域にそれぞれ隣接する共有領域を有し、前記制御手段は、各操作手段の操作入力に基づいて前記共有領域を使用して画像を操作することを特徴とする画像表示テーブル。
【請求項５】
請求項１から４のいずれか１項記載の画像表示テーブルと、
前記画像表示テーブルで表示又は操作された画像を出力する出力装置と、
を備えることを特徴とする画像表示制御システム。
【発明の詳細な説明】
【技術分野】
【０００１】
本発明は画像表示テーブル及び画像表示制御システムに係り、特に複数の利用者が入力した画像を表示及び操作する画像表示テーブル及び画像表示制御システムに関する。
【背景技術】
【０００２】
近年、利用者が持参したメディアカードやデジタルカメラ等の記憶媒体から写真等の画像データを読み取り、画像を加工して印刷する装置が普及している。
【０００３】
特許文献１には、喫茶店やレストラン等において、利用者が持参した媒体から画像データを読み取り、画像を加工してプリンタに出力する情報端末テーブルが開示されている。特許文献１に開示された情報端末テーブルには、データの読み取りや画像の加工、印刷等の時間のかかる処理でも着座した姿勢で楽に行うことができるという利点がある。
【特許文献１】特開２００２−２３６９７２号公報
【発明の開示】
【発明が解決しようとする課題】
【０００４】
上記特許文献１に係る情報端末テーブルにおいては、１つのテーブルを１グループで利用することで、画像の表示や加工、印刷を楽しむことができる。このような場合には、天板上の画像を表示する領域はできるだけ大きく、グループ全員で画像を自由に操作できるほうが都合がよい。
【０００５】
しかしながら、少人数で喫茶店等に行くと、しばしばほかの客と相席になることがある。上記特許文献１に係る情報端末テーブルでは、表示部（タッチパネル部）を同席の誰もが操作可能となっているため、ほかの客と相席になった場合に画像の表示や加工等を行おうとすると、ほかの客に画像を勝手に操作されてしまったり、ほかの客の画像が自分の目の前に表示されてしまうなどの不都合が生じる。
【０００６】
本発明はこのような事情に鑑みてなされたもので、ほかの客と相席になった場合でも、画像の表示及び操作を楽しむことができる画像表示テーブル及び画像表示制御システムを提供することを目的とする。
【課題を解決するための手段】
【０００７】
上記目的を達成するために請求項１に係る画像表示テーブルは、デジタル画像を入力する画像入力手段と、複数の利用者が同時に利用可能なテーブルの表面に設けられ、前記画像入力手段から入力された画像を表示する、各利用者ごとに割り当てられた表示領域を有する画像表示手段と、前記画像表示手段における各利用者ごとに割り当てられた表示領域を、他の利用者との間で共有させるか否かを設定する共有設定手段と、前記画像表示手段に表示された画像を各利用者が操作するための操作手段と、各操作手段の操作入力に基づいてその操作手段に対応して割り当てられた表示領域、及び前記共有設定手段によって共有が許可された表示領域を使用して画像を操作する制御手段と、を備えたことを特徴とする。
【０００８】
請求項１に係る画像表示テーブルによれば、ほかの客と相席になった場合でも、自分のグループのみで画像の表示及び操作を行う領域を確保することができる。
【０００９】
請求項２に示すように請求項１に係る画像表示テーブルにおいて、前記画像表示手段は、各利用者ごとに割り当てられた表示領域にそれぞれ隣接する共有領域を有し、前記制御手段は、各操作手段の操作入力に基づいて前記共有領域を使用して画像を操作することを特徴とする。
【００１０】
請求項２に係る画像表示テーブルによれば、ほかの客との間の画像のやり取りが容易である。
【００１１】
請求項３に示すように請求項１又は２に係る画像表示テーブルにおいて、前記表示領域ごとに配置された、前記利用者を感知するヒト感知手段を備え、前記制御手段は、前記ヒト感知手段により所定の時間利用者が感知されなかった場合に、そのヒト感知手段の配置された表示領域が無人の表示領域であると判断し、前記無人の表示領域に隣接する所定の表示領域の利用者に対して前記無人の表示領域の共有を許可することを特徴とする。
【００１２】
請求項３に係る画像表示テーブルによれば、空席の表示領域を有効に利用することができる。
【００１３】
請求項４に係る画像表示テーブルは、デジタル画像を入力する画像入力手段と、複数の利用者が同時に利用可能なテーブルの表面に設けられ、前記画像入力手段から入力された画像を表示する、各利用者ごとに割り当てられた表示領域を有する画像表示手段と、前記画像表示手段に表示された画像を各利用者が操作するための操作手段と、各操作手段の操作入力に基づいてその操作手段に対応して割り当てられた表示領域を使用して画像を操作する制御手段と、を備え、前記画像表示手段は、各利用者ごとに割り当てられた表示領域にそれぞれ隣接する共有領域を有し、前記制御手段は、各操作手段の操作入力に基づいて前記共有領域を使用して画像を操作することを特徴とする。
【００１４】
請求項５に係る画像表示制御システムは、請求項１から４のいずれか１項記載の画像表示テーブルと、前記画像表示テーブルで表示又は操作された文字及び画像情報を出力する出力装置と、を備えることを特徴とする。
【発明の効果】
【００１５】
本発明によれば、各利用者が自分の画像操作領域を確保できる一方、ほかの利用者との間で画像の共有許可を行ったり、空席の表示領域を活用することで、テーブル上の表示領域を最大限に活用することができる。また、ほかの客と相席になった場合でも、自分のグループのみで画像の表示及び操作を行う領域を確保することができる。
【発明を実施するための最良の形態】
【００１６】
以下添付図面に従って本発明に係る画像表示テーブル及び画像表示制御システムの好ましい実施の形態について説明する。図１は、本発明の一実施形態に係る画像表示制御システムを示すブロック図である。画像表示制御システム１０は、喫茶店やレストラン等の店舗に設置されるもので、画像表示テーブル１２と、プリンタ１４と、店員用の入出力装置や店内カメラ、ＰＯＳレジ等を含む店内システム１６と、システム制御や画像処理に係るプログラムやテンプレート等を含むサーバ１８とを備えており、これらはハブ２０を介してＬＡＮ接続されている。なお、本実施形態では、スター型ＬＡＮが示されているが、バス型ＬＡＮやリング型ＬＡＮでもよい。また、有線ＬＡＮ及び無線ＬＡＮのいずれでもよい。
【００１７】
図２は画像表示テーブルを示す斜視図であり、図３は平面図である。図２及び図３に示すように、本実施形態の画像表示テーブル１２は４人掛けの円卓であり、表面に画像を表示する表示部３０が設けられている。表示部３０は、例えば、有機ＥＬ（electro-luminescence）や液晶ディスプレイ（ＬＣＤ）、電子ペーパー等である。表示部３０は、タッチパネルとなっており、各利用者は表示部３０に表示された画像に指やスタイラスペン等で触れて操作を行う。なお、表示部（タッチパネル）３０における指等の検出方法は、アナログ容量結合方式や超音波方式、抵抗膜方式、赤外線方式等を用いることができる。
【００１８】
表示部３０には、座席（図示されず）に対応した４つの専有領域Ａ、Ｂ、Ｃ及びＤと共有領域Ｘが設けられている。
【００１９】
図３に示すように、画像表示テーブル１２の各専有領域Ａ、Ｂ、Ｃ及びＤにはそれぞれ利用者（Ａさん、Ｂさん、Ｃさん及びＤさん）が着席している。専有領域Ａ、Ｂ、Ｃ及びＤはそれぞれＡさん、Ｂさん、Ｃさん及びＤさんが各々の画像データの表示や操作を行う領域であり、共有領域Ｘはあらかじめすべての専有領域Ａ、Ｂ、Ｃ及びＤとの間で相互に画像データの移動又はコピーが許可（共有許可）されている領域である。
【００２０】
図２に示すように、表示部３０の図における下面には、各専有領域ごとに入出力部３２が１つずつ取り付けられている。
【００２１】
図３に示すように、専有領域Ａ、Ｂ、Ｃ及びＤにはそれぞれ制御スイッチ３６が配置されている。制御スイッチ３６はタッチパネルとなっている。また、専有領域Ａ、Ｂ、Ｃ及びＤの座席付近には、ヒト感知センサ４０が配置されている。なお、各専有領域Ａ、Ｂ、Ｃ及びＤに示されている２つの矩形領域４２は画像である。
【００２２】
図４は、画像表示テーブルの構成を示すブロック図である。同図において、中央処理装置（ＣＰＵ）４４は、画像表示テーブル１２を統括制御する制御部である。ＣＰＵ４４は、操作部３８（タッチパネル、制御スイッチ３６を含む）等からの信号の入力に基づいて画像表示テーブル１２の動作を制御する。なお、ＣＰＵ４４はサーバ１８が兼ねていてもよい。
【００２３】
メモリ４６には、ＣＰＵ４４が処理するプログラム及び制御に必要な各種データ等が格納されるＲＯＭや、入出力部３２を介して入力した画像データが格納される記憶領域及びＣＰＵ４４が各種の演算処理等を行う作業用領域となるＳＤＲＡＭ（Synchronous Dynamic RAM）等が含まれている。
【００２４】
通信Ｉ／Ｆ４８は、ＬＡＮに接続するための機器で、所定のプロトコルにしたがって各種データの送受信を行う。
【００２５】
図５は、入出力部３２を拡大して示す斜視図である。入出力部３２は、記録メディアに画像データを入出力するメディアリーダ／ライタ６０と、音声入出力用のジャック６２とを備えている。メディアリーダ／ライタ６０は、ｘＤピクチャカードやコンパクトフラッシュ（ＣＦ）カード、スマートメディア、ＳＤメモリカード（登録商標）、ＰＣカード等の半導体メモリ、フレキシブルディスクや光磁気（ＭＯ）ディスク、ＣＤ−Ｒ／ＲＷ、ＤＶＤ−ＲＡＭ、ＤＶＤ−Ｒ／ＲＷ等の各種記録メディアに対応している。なお、図５においては、メディアリーダ／ライタ６０は１つの記録メディア挿入口として簡略化されている。
【００２６】
また、入出力部３２は、有線通信やＩｒＤＡ（Infrared Data Association）やBluetooth等の無線通信に対応しており、デジタルカメラやカメラ付き携帯電話等との間で直接画像データを送受信することもできる。
【００２７】
図６は、制御スイッチ３６を拡大して示す平面図である。制御スイッチ３６は画像表示テーブル１２の表示部３０と略相似形をなしている。図６が専有領域Ｃの制御スイッチとすると、図における下側のスイッチ３６Ｃは専有領域Ｃの表示のＯＮ／ＯＦＦを入力するスイッチであり、例えば、利用者（Ｃさん）が一時的に席を離れるときに、自分の専有領域の表示をＯＦＦにするのに使用される。
【００２８】
ほかの３つのスイッチ３６Ｄ、３６Ａ及び３６Ｂは専有領域Ｃに表示されている画像をそれぞれ専有領域Ｄ、Ａ及びＢに移動又はコピーする許可（共有許可）を設定するスイッチである。例えば、ＣさんがＡさんに共有許可を与える場合には、制御スイッチ３６Ａをタップする。すると、制御スイッチ３６Ａの色が変わって、ＣさんがＡさんに共有許可を与えたことが表示され、専有領域Ｃの画像は専有領域Ａに移動可能となる。さらに、ＡさんもＣさんに対して共有許可を与えた場合（ＣさんとＡさんが相互に共有許可を与えた場合）、専有領域ＡとＣとの間で画像のやり取りが可能となる。
【００２９】
以下、本実施形態の画像表示制御システムを用いて画像を操作する方法について具体的に説明する。各利用者（Ａさん、Ｂさん、Ｃさん及びＤさん）が各々のメディアリーダ／ライタ６０に記録メディアを挿入すると、記録メディアに記録されている画像データが読み取られ、各々の専有領域（Ａ〜Ｄ）に読み取られた画像データが一覧表示される。
【００３０】
図７は、画像データの一覧表示を示す平面図である。図７において、ブラウザ８０にはアイコン８２が一覧表示されている。利用者はスクロールバー８４等を操作して表示したい画像のアイコンをブラウザ８０に表示させる。次に、表示したいアイコン８２をタップすると、タップされたアイコン８２が選択状態になる（例えば、枠の色等が変化する）。そして、順次表示したいアイコン８２を選択していき、確定ボタン８６をタップするとブラウザ８０が消え、選択した画像が表示される。なお、確定ボタン８６をタップする前に、取り消しボタン８８をタップすると、直前に選択したアイコン８２の選択状態が解除される。また、ブラウザ８０の外にアイコン８２をドラッグすることによっても画像を選択することが可能である。
【００３１】
なお、各利用者は、上記のように自分の記録媒体から画像を入力する以外にも、ネットワーク経由で画像を入手することもできる。また、例えば、店内（例えば、画像表示テーブル１２上）にカメラ（定点カメラ）等を設置して、このカメラによって撮影された画像を各専有領域に表示させることができるようにしてもよい。
【００３２】
各利用者は、各々の専有領域内で画像の移動、拡大／縮小、プリント指示、セーブ／消去又は動画再生等を行うことができる。また、音声付の画像の場合にはジャック６２（図５参照）を利用して音声を聞くこともできる。また、各利用者は、表示部（タッチパネル）３０を操作して、画像への書き込み、画像の色合い等の調整、画像とフレームやテンプレート等との合成、シールやインデックスプリントの作成、ジャック６２からの音声入力等、さまざまな加工を施すことができる。
【００３３】
また、図６に示した制御スイッチで共有許可の設定を行うことにより、ほかの専有領域との間で画像のやりとりを行うことができる。
【００３４】
以下、共有許可の設定方法の例について図３等を参照して説明する。図３において、画像表示テーブル１２の相席メンバー（Ａさん、Ｂさん、Ｃさん及びＤさん）が全員他人同士の場合、４人ともほかの相席メンバーに対して共有許可を与えない。これにより、Ａさん、Ｂさん、Ｃさん及びＤさんは各々の専有領域（Ａ、Ｂ、Ｃ及びＤ）内でのみ画像の表示や操作を行うことができる。
【００３５】
図３において、画像表示テーブル１２の相席メンバー（Ａさん、Ｂさん、Ｃさん及びＤさん）が１グループの場合、４人ともほかの相席メンバー全員に対して共有許可を与える。これにより、すべての専有領域（Ａ、Ｂ、Ｃ及びＤ）の間で画像のやりとりを行うことができる。
【００３６】
図３において、ＡさんとＢさんのペアと、ＣさんとＤさんのペアが相席となっている場合、ＡさんとＢさんが相互に共有許可を与え合い、ＣさんとＤさんが相互に共有許可を与え合う。これにより、ＡさんとＢさんとの間、ＣさんとＤさんとの間でそれぞれ画像のやりとりを行うことができる。
【００３７】
なお、本実施形態においては、共有許可を与えていないもの同士であっても、共有領域Ｘを経由して画像の移動を行うことで画像データのやりとりを行うことができる。
【００３８】
次に、画像をやりとりする方法について説明する。まず、画像４２を各専有領域と共有領域Ｘとの間でやりとりする場合、例えば、専有領域から共有領域Ｘに画像を移動させる際には、利用者は単に自分の専有領域に表示されている画像４２をタップして、共有領域Ｘまでドラッグすればよい（図３参照）。
【００３９】
次に、各専有領域間で画像をやりとりする場合について説明する。以下では、専有領域Ｃから専有領域Ｂに画像を渡す場合について説明する。図８は、各専有領域間で画像をやりとりする方法を示す図である。
【００４０】
まず、図８（ａ）に示すように、Ｃさんが専有領域Ｃに表示されている画像４２をタップして専有領域Ｂ側（図中右側）にドラッグしする。すると、画像４２の一部が専有領域Ｂにはみ出した状態となる。次に、図８（ｂ）に示すように、Ｂさんがこの画像４２の専有領域Ｂ側にはみ出した部分をタップして、専有領域Ｂ内にドラッグして入れる。これにより、画像４２の受け渡しが完了する。
【００４１】
図１に示すプリンタ１４には通常の印刷用紙のほかラメ加工やシール加工等が施された用紙が搭載されており、各利用者は所望の用紙を選択して印刷することができる。なお、プリンタ１４は、テーブル１２ごとに１台ずつ設置されていてもよいし、店舗に１台だけであってもよい。また、各利用者は操作の終わった画像データを入出力部３２で記録メディアやデジタルカメラ等に書き込んで持ち帰ることもできる。
【００４２】
本実施形態においては、画像表示テーブル１２において空席がある場合、自動的に隣の領域と共有許可が設定されて、隣の領域の利用者が空席となっている専有領域を使えるようにしてもよい。この場合、図３に示すように、テーブル１２の各専有領域（Ａ、Ｂ、Ｃ及びＤ）には、ヒト感知センサ４０が設けられる。ヒト感知センサ４０としては、例えば、座席にかかる重み等でヒトを感知するもの等が考えられる。
【００４３】
ヒト感知センサ４０により所定の時間利用者がいないことが感知された場合、テーブル１２のＣＰＵ（図示されず）によりその専有領域は空席であるものとされ、自動的に隣接する専有領域との間で相互の共有許可が設定される。
【００４４】
例えば、専有領域Ｂ及びＤが空席の場合、自動的に専有領域ＢとＡとの間及び専有領域ＤとＣとの間で相互に共有許可が設定される。これにより、空席である専有領域Ｂを隣の専有領域の利用者Ａさんが使用でき、専有領域ＤをＣさんが使用できる。
【００４５】
次に、専有領域Ｂが空席の場合、自動的に隣接する専有領域Ａ又はＣと専有領域Ｂとの間で相互に共有許可が設定される。これにより、空席である専有領域Ｂの隣の専有領域の利用者（Ａさん又はＣさん）が専有領域Ｂを使用できる。なお、ＡさんとＣさんのどちらが、専有領域Ｂを共有するかについては、店員が調整してもよいし、ＡさんとＣさんがペアの場合（例えば、相互に共有許可を行っている場合）にはＡさんとＣさんの双方との間で共有許可が設定されることとしてもよい。
【００４６】
なお、本実施形態においては、制御スイッチ３６を設けない構成として常に共有領域Ｘを経由して画像のやりとりを行うこととしてもよい。また、共有領域Ｘを設けない構成として共有の設定されていない利用者同士では画像のやりとりを行えない構成としてもよい。
【００４７】
なお、図１等に示す画像表示テーブル１２は４人掛けの円卓であるが、本発明はこれに限定されるものではなく、何人掛けでもかまわない。また、四角いテーブルやカウンタ席であってもよい。なお、この場合、共有領域や各専有領域、制御スイッチ３６の形状、及び入出力部３２の配置は、テーブルの形状や席数に応じて異なる。
【００４８】
図９は、四角い画像表示テーブルの例を示す斜視図である。図９に示す画像表示テーブル１００は６人掛けの四角いテーブルである。画像表示テーブル１００の表示部１０２は各座席１０４に対応した６つの専有領域Ａ〜Ｆと共有領域Ｘに分かれている。各専有領域Ａ〜Ｆには、入出力部１０６（図５参照）及び制御スイッチ１１０が配置されている。
【００４９】
図１０は、図９の専有領域Ｆの制御スイッチ１１０を拡大して示す平面図である。制御スイッチ１１０は、上記の実施形態と同様に、画像表示テーブル１００の表示部１０２と略相似形をなしている。専有領域操作部１１２の専有領域Ｆに対応する部分はＯＮ／ＯＦＦスイッチであり、ほかの専有領域に対応する部分は各専有領域に共有許可を与えるスイッチとなっている。
【００５０】
図１１は、カウンタ席の画像表示テーブルの例を示す斜視図である。図１１に示す画像表示テーブル１３０は３人掛けのカウンタ席である。画像表示テーブル１３０の表示部１３２は各座席１３４に対応した３つの専有領域Ａ〜Ｃと共有領域Ｘとに分かれている。各専有領域Ａ〜Ｃには、入出力部１３６（図５参照）及び制御スイッチ１４０が配置されている。
【００５１】
図１２は、図１１の専有領域Ａの制御スイッチ１４０を拡大して示す平面図である。制御スイッチ１４０は、上記の実施形態と同様に、画像表示テーブル１３０の表示部１３２と略相似形をなしており、領域Ａに対応する部分はＯＮ／ＯＦＦスイッチであり、ほかの領域に対応する部分は各領域に共有許可を与えるスイッチとなっている。
【図面の簡単な説明】
【００５２】
【図１】本発明の一実施形態に係る画像表示制御システムを示すブロック図
【図２】画像表示テーブルを示す斜視図
【図３】画像表示テーブルを示す平面図
【図４】画像表示テーブルの構成を示すブロック図
【図５】入出力部３２を拡大して示す斜視図
【図６】制御スイッチ３６を拡大して示す平面図
【図７】画像データの一覧表示を示す平面図
【図８】各専有領域間で画像をやりとりする方法を示す図
【図９】四角い画像表示テーブルの例を示す斜視図
【図１０】図９の専有領域Ｆの制御スイッチ１１０を拡大して示す平面図
【図１１】カウンタ席の画像表示テーブルの例を示す斜視図
【図１２】図１１の専有領域Ａの制御スイッチ１４０を拡大して示す平面図
【符号の説明】
【００５３】
１０…画像表示制御システム、１２…画像表示テーブル、１４…プリンタ、１６…店内システム、１８…サーバ、３０…表示部（タッチパネル）、３２…入出力部、３６…制御スイッチ、４０…ヒト感知センサ
【図１】
2005352579.tif 000003
【図２】
2005352579.tif 000004
【図３】
2005352579.tif 000005
【図４】
2005352579.tif 000006
【図５】
2005352579.tif 000007
【図６】
2005352579.tif 000008
【図７】
2005352579.tif 000009
【図８】
2005352579.tif 000010
【図９】
2005352579.tif 000011
【図１０】
2005352579.tif 000012
【図１１】
2005352579.tif 000013
【図１２】
2005352579.tif 000014